(57)【特許請求の範囲】
【請求項１】
電気ランプと、
前記電気ランプへの電気的接続と前記電気ランプをキー付けされたランプ取付具の中に取り付けるために前記電気ランプに固定され、ランプベース胴体、及び前記ランプベース胴体上に固定キーを含むランプベースと、
前記固定キー及び下記可動キーが前記ランプ装置の可変キー付けを提供するように、製造中、前記ランプベース胴体上の少なくとも２つの異なる位置に動かすことができ、前記異なる位置の１つにある前記ランプベース胴体に取り付けられる、キー支持部材上の可動キーと、
から成ることを特徴とする、可変キー付きベースを有する電気ランプ。
【請求項２】
前記キー支持部材が、前記ランプベース胴体とかみ合い、製造中、前記ランプベース胴体に関して回転できる割型リングから成ることを特徴とする、請求項１記載の可変キー付きベースを有する電気ランプ。
【請求項３】
前記ランプベース胴体がほぼ円形の表面を含み、前記キー支持部材が、製造中、前記円形の表面とかみ合い、前記円形の表面に関して回転できる割型リングから成ることを特徴とする、請求項１記載の可変キー付きベースを有する電気ランプ。
【請求項４】
製造中、前記キー支持部材が不連続な位置の間を回転できることを特徴とする、請求項３記載の可変キー付きベースを有する電気ランプ。
【請求項５】
前記ランプベース胴体、及び前記キー支持部材が前記不連続な位置を定めるために相互にかみ合うラチェット部材を有することを特徴とする、請求項４記載の可変キー付きベースを有する電気ランプ。
【請求項６】
前記相互にかみ合うラチェット部材が前記ランプベース胴体の円形の表面上、及び前記キー支持部材の内面上に形成されることを特徴とする、請求項５記載の可変キー付きベースを有する電気ランプ。
【請求項７】
前記ランプベース胴体が中心軸を有し、前記キー支持部材が前記中心軸の回りを回転できることを特徴とする、請求項３記載の可変キー付きベースを有する電気ランプ。
【請求項８】
前記固定キー、及び前記可動キーが軸の周りで整列するように、前記可動キーが前記キー支持部材から軸方向に片寄らされることを特徴とする、請求項７記載の可変キー付きベースを有する電気ランプ。
【請求項９】
前記ランプベース胴体が前記可動キーを受け入れるために開口部を含み、前記開口部は、製造中、前記可動キーの回転を予め定められた不連続な位置の数の間に制限するために寸法を決められることを特徴とする、請求項８記載の可変キー付きベースを有する電気ランプ。
【請求項１０】
前記ランプベースが、前記ランプベース胴体上に第２の固定キーを更に含むことを特徴とする、請求項７記載の可変キー付きベースを有する電気ランプ。
【請求項１１】
前記固定キー、及び前記可動キーが、各々、前記ランプベース胴体から外に向かって放射状に広がるタブから成ることを特徴とする、請求項１０記載の可変キー付きベースを有する電気ランプ。
【請求項１２】
電気ランプと、
前記電気ランプへの電気的接続と前記電気ランプをキー付けされたフォグランプ反射板の中に取り付けるために前記電気ランプに固定され、中心軸、及び前記ランプベース胴体上に少なくとも１つの固定キーを含むランプベースと、
前記固定キー、及び前記可動キーが前記フォグランプ装置の可変キー付けを提供するように、前記ランプベース胴体に取り付けられるキー支持部材上の可動キー、製造中、選択された位置まで前記中心軸の回りを回転できる前記可動キー、及び前記キー支持部材と、
から成ることを特徴とする、可変キー付きベースを有する電気ランプ。
【請求項１３】
製造中、前記キー支持部材が２つ以上の不連続な位置の間を回転できることを特徴とする、請求項１２記載の可変キー付きベースを有する電気ランプ。
【請求項１４】
前記ランプベース胴体、及び前記キー支持部材が、前記不連続な位置を定めるために相互にかみ合うラチェット部材を有することを特徴とする、請求項１３記載の可変キー付きベースを有する電気ランプ。
【請求項１５】
前記ランプベース胴体がほぼ円形の表面を含み、前記キー支持部材が、製造中、前記円形の表面とかみ合い、前記円形の表面に関して回転できる割型リングから成ることを特徴とする、請求項１４記載の可変キー付きベースを有する電気ランプ。
【請求項１６】
前記可動キーが前記キー支持部材から軸方向に片寄らされ、前記固定キーと軸の周りで整列することを特徴とする、請求項１５記載の可変キー付きベースを有する電気ランプ。
【請求項１７】
前記固定キー、及び前記可動キーが、各々、前記ランプベース胴体から外に向かって放射状に広がるタブから成ることを特徴とする、請求項１６記載の可変キー付きベースを有する電気ランプ。
【発明の詳細な説明】
【０００１】
【発明の属する技術分野】
この発明は、適切な設置を確実にするためにキー付けされる電気ランプ装置に関し、更に詳細には、異なるキー形状を提供するために製造中に動かすことができるキーを有する電気ランプ装置に関する。
【０００２】
【従来の技術】
電気ランプ装置、及び反射板のようなランプ取付具は、一般に、ランプ装置が適切に適合しないランプ取付具の中へのランプ装置の設置を防ぐためにキー付けされる。多くのランプが外観上類似しており、非熟練者により設置される可能性があり、従って誤った設置の危険が増大するので、キー付けは必要である。例えば、自動車ヘッドランプは、必要な特性を有するランプがヘッドランプ反射板の中に設置されることを確実にするために、キー付けされることができる。キー付けされたランプベースは、１つ以上の所定の大きさ、及び位置の突起を含むことができ、設置の間、突起は反射板の中の嵌合せ切欠きとかみ合う。ランプベースが必要なキー形状を有しない時、ランプベースは反射板の中に設置できない。
【０００３】
【発明が解決しようとする課題】
いくつかの場合、２つ以上のランプ型式が同じ、若しくは類似の取付具の中で使用できる。例えば、異なるワット数のランプが１つの自動車フォグランプ反射板の中で使用できる。反射板の中の誤ったワット数のランプの設置は悪影響を招く可能性がある。光の出力が不適当になり、ランプの寿命が短くなり、若しくはランプ電源が過負荷になる可能性がある。従って、適合しない反射板の中に設置されないように、ランプ装置はキー付けされなければならない。
【０００４】
１つの方法は、反射板の中で使用できる各可能なランプのための異なるキー形状を有するランプベースを単に提供することである。しかし、この方法は比較的高価かつ不便である。ランプベースは、一般に、成形されたプラスチックである。多くの異なるランプベース形状のための初期金型費は、非常に高価になる可能性がある。加えて、多様なランプベース形状を在庫することが必要である。従って、多様なランプ形状のための可変キーを有し、その上、多様なランプベース形状を製造し在庫することの困難を克服するランプベースを提供することが望ましい。
【０００５】
【課題を解決するための手段】
本発明によると、キー付けされたランプ装置が提供される。ランプ装置は電気ランプ、及びランプへの電気的接続のためと、キー付けされたランプ取付具の中に取り付けるための、電気ランプに固定されたランプベースから成る。ランプベースはランプベース胴体、及びランプベース胴体に固定された少なくとも１つのキーを含む。ランプ装置は更に、製造中、ランプベース胴体上の２つ以上の異なる位置に動かせる、キー支持部材上の可動キーを含む。固定キー、及び可動キーがランプ装置の可変キー付けを提供するように、キー支持部材は位置の１つにあるランプベース胴体に取り付けられる。ランプ装置は、例えば、自動車のフォグランプ反射板の中に取り付けるためのフォグランプ装置から成る。
【０００６】
好ましい実施例ではキー支持部材は、ランプベース胴体とかみ合い、製造中、ランプベース胴体の中心軸に関して回転できる割型リングから成る。キー支持部材は２つ以上の不連続な位置の間を回転できる。ランプベース胴体、及びキー支持部材は、不連続な位置を定めるための相互にかみ合うラチェット部材を有する。可動キーが所望の位置にある時、キー支持部材は、例えば接着剤、熱によるかしめ、若しくは超音波溶接により、ランプベース胴体に取り付けられる。
【０００７】
固定キー、及び可動キーがランプ装置の中で軸の周りで整列するように、可動キーはキー支持部材から軸方向に片寄らせることができる。ランプベース胴体は、可動キーを受け入れるための開口部を備えることができる。開口部は、製造中、可動キーの回転を選択した位置の数に制限するように、寸法を決められることができる。
【０００８】
【発明の実施の形態】
本発明によるランプ装置の例が、図１から図３に示されている。電気ランプ１０はランプベース１２に取り付けられ、ランプベース１２は図４に別に示されている。ランプベース１２はランプ１０への電気的接続、及び反射板のようなキー付けされたランプ取付具の中でのランプ１０の機械的な取付けのために利用される。加えて、ランプベースはランプ装置が、反射板のような、ランプ装置が適合するランプ取付具の中にのみ設置されることを確実にするキー付けを含む。ランプ装置は、更に、以下に記述するように可動キー１４を含む。図１から図３に示されているランプ装置は９００６型ヘッドランプに類似しているが、本発明による可変キー付けを含んでいる。
【０００９】
ランプベース１２は、一般に、耐熱プラスチックで成形され、キー部分２２、及びコネクタ部分２４を有するランプベース胴体２０を含む。コネクタ部分２４は従来の設計であり、図１から図４に示されるように直角形状を有する。他の実施例では、ランプベースのコネクタ部分が直線、若しくは他の適当な形状を有することができる。ランプベース胴体２０のキー部分２２は一般に円形の形状で、電気ランプ１０の中心軸と同軸である中心軸３０を有する。固定キー３２、３４は、ランプベース胴体２０から半径方向外側に広がる。固定キー３２、３４の各々は、一般に、ランプベース胴体２０の一体成形部分であり、放射状に広がるタブ、若しくは突起の形状を有することができる。固定キー３２、３４は、ランプベース胴体２０のキー部分２２上の異なる、円周上の場所に位置する。
【００１０】
ランプ１０は従来の取付構造を使用してランプベース１２の中に取り付けることができ、ランプ外囲器の圧締め封止部分に固定される金属クランプ３６を含む。ランプ１０の接触ピンはランプベース１２の中に伸び、コネクタ部分２４の導線に電気的に接続される。ランプ１０は、例えば、石英ハロゲンランプカプセルであり得る。しかし、異なるランプの型式、及び異なるランプ取付構造が本発明の範囲内で利用される可能性がある。
【００１１】
ランプベース１２のキー付けは、可動キー１４、及び固定キー３２、３４により成立させられる。キー付けのパラメータは、ランプベース１２上のキーの数、中心軸３０に関するキーの間の角度間隔、及び各キーの大きさと形状である。各キーは大きさ、形状、及び位置について、対応する、その中にランプ装置が設置されるランプ取付具上の切欠き、若しくは窪みに適合させられる。本発明によるランプ装置は、少なくとも１つの固定キー、及び少なくとも１つの可動キーを含む。
【００１２】
図５に最も良く示されるように、可動キー１４はキー支持部材４０に取り付けられており、キー支持部材４０は可動キー１４とランプベース胴体２０の間の機械的接続を提供する。キー支持部材４０は、開口部４２を有する割型リング、内面４４、及び上面４６から成り得る。可動キー１４がキー支持部材４０から軸方向に片寄るように、可動キー１４は好ましくは上面４６上に形成される。好ましい実施例では、可動キー１４、及びキー支持部材４０は、耐熱プラスチックから一体成形される。内面４４はラチェット歯、若しくは平坦面のようなラチェット部材を有することができ、ラチェット部材は可動キー１４の不連続な位置を定める。
【００１３】
図２、図４に最も良く示されるように、ランプベース胴体２０のキー部分２２は、中心軸３０と同軸である、ほぼ円形の表面５０を備えている。表面５０は固定キー３２、３４から軸方向に片寄っており、ラチェット歯、若しくは平坦面のようなラチェット部材を有することができる。製造中、キー支持部材４０は、その内面４４をランプベース胴体２０の表面５０にかみ合わせて、ランプベース胴体にスナップ嵌めされる。表面５０の反対側にあるランプベース胴体２０の部分５４、５６は表面５０より半径が大きいので、ランプベース胴体の中に溝を定める。部分５４、及び５６は、キー支持部材４０をランプベース胴体に関して軸方向に設ける。ランプベース胴体は、更に、可動キー１４を受け入れるための開口部５２を含むことができる。開口部５２は、固定キー３２、３４と軸の周りで整列する。キー支持部材４０がランプベース胴体２０の表面５０上にある時、可動キー１４は開口部５２の中に位置する。好ましくは、開口部５２は、可動キー１４の回転を可動キー１４の可能な位置の選択した数に制限するために寸法を決められる。可動キー１４の回転の範囲を定めるために、開口部５２は一般に円弧の形状である。
【００１４】
示されるように、キー支持部材４０の内面４４、及び円形の表面５０は、可動キー１４の不連続な位置を定めるラチェット部材を有することができる。ラチェット部材はラチェット歯、平坦部、若しくは他の適当なラチェットの形状であり得る。一実施例では、図３で示されるように表面５０は隣接したラチェット部材の間に６°の間隔を有する。開口部５２は可動キー１４の可能な位置を、６°ごとに分割された６つの位置に制限する。キー位置の間の異なる角度が利用でき、キー位置の異なる数が選択できることは理解されるであろう。隣接するキー位置の間隔は、間違ったランプ取付具の中にランプ装置を設置することを防ぐのに十分でなければならない。キー位置の数は、ランプベースの中で利用される可能性があるランプ型式の数に依存する。
【００１５】
キー支持部材４０がランプベース胴体２０にスナップ嵌めされ、もし必要ならば、所望の角度位置まで回転された後、接着剤、熱によるかしめ、超音波溶接、若しくは他の適当な部品結合技術により、キー支持部材４０はその位置に固定される。例えば、上記技術の１つにより、可動キー１４の表面６０（図５）は開口部５２に隣接するランプベース胴体２０の表面６２（図４）に結合できる。それによってランプ装置は恒久的にキー付けされ、ランプベースのキー付けに適合するキー形状を有する反射板、若しくは他のランプ固定具の中のみに設置されることができる。製造完了後、固定キーの形状を定めるために、可動キー１４は固定されたままであることは理解されるであろう。
【００１６】
製造中、可動キー１４は選択されたキー位置の間で動くことができるので、シングルランプベース、及び可動キーを用いて多数の異なるランプ形状を成立させることができる。従って、多様なランプベース形状の成形は必要でない。多様なランプベースキー形状を製造するために、２つのランプベース部品が在庫されなければならないだけである。
【００１７】
可動キー１４、及び固定キー３２、３４が本発明の範囲内で異なる形状を有し得ることは、理解されるであろう。例えば、ランプ装置は１つ以上の固定キー、及び１つ以上の可動キーを含むことができる。キー支持部材４０は、ランプベース胴体への可動キーの取付けに適する、どのような形状も有することができる。可動キーは異なる大きさ、及び形状を有することができる。可動キーの不連続位置を定めるために、ラチェット部材は必ずしも必要ではない。キー支持部材４０の内面４４、及びランプベース胴体２０の円形の表面５０は滑らかであり得る、開口部５２により定められた所定の角度の範囲内で可動キーは連続して回転できる。
【００１８】
本発明の応用の１つでは、ランプ装置は自動車のフォグランプで利用される。ランプ装置は、キー付けされたフォグランプ反射板の中に取り付けられる。ランプ装置のキー付けは、異なるワット数に対応できる。例えば、フォグランプは２５Ｗから１００Ｗの多様なワット数を有することができ、各ワット数は異なるキー形状に対応する。
【００１９】
以上、本発明の好ましい実施例について図示し記載したが、特許請求の範囲によって定められる本発明の範囲から逸脱することなしに種々の変形および変更がなし得ることは、当業者には明らかであろう。
【図面の簡単な説明】
【図１】本発明によるランプ装置の斜視図である。
【図２】反対方向から見た、図１のランプ装置の斜視図である。
【図３】図１のランプ装置の底面図である。
【図４】図１のランプベースの斜視図である。
【図５】可動キー及びキー支持部材の斜視図である。
【符号の説明】
１０  電気ランプ
１２  ランプベース
１４  可動キー
２０  ランプベース胴体
２２  キー部分
２４  コネクタ部分
３０  中心軸
３２、３４  固定キー
３６  金属クランプ
４０  キー支持部材
４２、５２  開口部
４４  内面
４６  上面
５０、６０、６２  表面
【図１】
0003927267.tif 000002
【図２】
0003927267.tif 000003
【図３】
0003927267.tif 000004
【図４】
0003927267.tif 000005
【図５】
0003927267.tif 000006